(57)【特許請求の範囲】
【請求項１】
放射線源と放射線検出部とを対向して配置したガントリを有し、被検者の乳房を撮影する乳房撮影用ＣＴ装置であって、
前記ガントリは、円錐状に傾斜している傾斜部と、前記傾斜部の端部に沿って形成された平面部とを有し、前記傾斜部と前記平面部によって凸形状に形成され、前記平面部には、前記被検者の乳房を挿入するための開口部が設置されていることを特徴とする乳房撮影用ＣＴ装置。
【請求項２】
前記傾斜部の端部は同心円状になっており、前記傾斜部に沿って前記平面部が同心円状に設置されることを特徴とする請求項１記載の乳房撮影用ＣＴ装置。
【請求項３】
前記平面部の中央付近には、前記被検者の乳房を挿入するための開口部が設置されることを特徴とする請求項１記載の乳房撮影用ＣＴ装置。
【請求項４】
前記放射線源は、前記ガントリの傾斜部に沿って配置されることを特徴とする請求項１記載の乳房撮影用ＣＴ装置。
【請求項５】
前記放射線源の長手方向に対して、前記ガントリの傾斜部は平行であることを特徴とする請求項１記載の乳房撮影用ＣＴ装置。
【請求項６】
前記放射線源の電子放出源から発生される電子ビームの照射方向に対して、前記ガントリの傾斜部は平行であることを特徴とする請求項１記載の乳房撮影用ＣＴ装置。
【請求項７】
前記放射線源は、透過型ターゲットを有していることを特徴とする請求項１記載の乳房撮影用ＣＴ装置。
【請求項８】
前記ガントリの周縁には、開閉可能な側面開口部が設置されることを特徴とする請求項１記載の乳房撮影用ＣＴ装置。
【請求項９】
前記ガントリの周縁には、被検者が把持する把持部が設置されていることを特徴とする請求項１記載の乳房撮影用ＣＴ装置。
【請求項１０】
前記ガントリを旋回させる回転機構を備えていることを特徴とする請求項１記載の乳房撮影用ＣＴ装置。
【請求項１１】
前記被検者を載置するためのベッド部を備え、前記ガントリの側面に接するようにベッド部が設置されることを特徴とする請求項１記載の乳房撮影用ＣＴ装置。
【請求項１２】
放射線源と放射線検出部とを対向して配置したガントリを有し、被検者の乳房を撮影する乳房撮影用ＣＴ装置であって、
前記ガントリは、円錐状に傾斜している傾斜部と、前記傾斜部の端部に沿って形成された平面部とを有し、前記被検者の乳房を挿入するための開口部が設置され、
前記放射線源は、前記ガントリの傾斜部に沿って配置されることを特徴とする乳房撮影用ＣＴ装置。
【発明の詳細な説明】
【技術分野】
【０００１】
本発明は、放射線を用いて被検者の乳房を撮影する乳房撮影用ＣＴ装置に関する。
【背景技術】
【０００２】
放射線源と放射線検出部とを対向してガントリ内に配置し、放射線源と放射線検出部とを乳房の周りを回転させながら放射線を照射することにより、乳房を撮影する乳房撮影用ＣＴ装置がある。
【０００３】
乳房撮影用ＣＴ装置のガントリは、被検者の乳房を放射線源と放射線検出部との間に露出させる開口部を有している。開口部から露出された乳房の周りを放射線源と放射線検出部が回転して、乳房の撮影が行われる。（例えば、特許文献１）
【先行技術文献】
【特許文献】
【０００４】
【特許文献１】特開２００８−９３１３５号公報
【発明の概要】
【発明が解決しようとする課題】
【０００５】
従来の乳房撮影用ＣＴ装置では、被検者は、平面状のガントリ上で姿勢を保っていなければならなかった。そのため、被検者の頭部又は腰部が平面状のガントリに圧迫され、被検者は姿勢を保つことが困難となる場合があった。
【０００６】
本発明は上記課題を解決するためになされたものであり、被検者は容易に姿勢を保つことができ、乳房の撮影を行うことができる乳房撮影用ＣＴ装置を提供することを目的とする。
【課題を解決するための手段】
【０００７】
上記の目的を達成するため、放射線源と放射線検出部とを対向して配置したガントリを有し、被検者の乳房を撮影する乳房撮影用ＣＴ装置であって、前記ガントリは、円錐状に傾斜している傾斜部と、前記傾斜部の端部に沿って形成された平面部とを有し、前記平面部には、前記被検者の乳房を挿入するための開口部が設置されている。前記ガントリは切頭円錐形であり、該切頭部には前記被検者の乳房を挿入するための開口部が設置されている。
【発明の効果】
【０００８】
本発明の乳房撮影用ＣＴ装置によれば、被検者は容易に姿勢を保つことができ、乳房の撮影を行うことができる。
【図面の簡単な説明】
【０００９】
【図１】本発明の実施形態１に係る乳房撮影用ＣＴ装置の外観図。
【図２】本発明の実施形態１に係る乳房撮影用ＣＴ装置の構成図。
【図３】本発明の乳房撮影用ＣＴ装置の放射線源の構成図。
【図４】本発明の乳房撮影用ＣＴ装置における被検者の撮影状態を示す図。
【図５】本発明の乳房撮影用ＣＴ装置における被検者の撮影状態を示す図。
【図６】本発明の実施形態２に係る乳房撮影用ＣＴ装置の外観図。
【図７】本発明の実施形態３に係る乳房撮影用ＣＴ装置の外観図。
【図８】本発明の実施形態３に係る乳房撮影用ＣＴ装置の外観図。
【図９】本発明の実施形態４に係る乳房撮影用ＣＴ装置の外観図。
【発明を実施するための形態】
【００１０】
以下に、図を適宜参照しながら、本発明の乳房撮影用ＣＴ装置の実施形態を説明する。
【００１１】
＜実施形態１＞
図１は、本発明の実施形態１に係る乳房撮影用ＣＴ装置の外観図である。図１（ａ）は、乳房撮影用ＣＴ装置の外観図であり、放射線源と放射線検出部を内部に有したガントリ１０と、被検者Ｐを支持するベッド部２０を示している。図１（ｂ）は、ガントリ１０とベッド部２０上に被検者Ｐがうつ伏せ姿勢になった状態を示している。
【００１２】
ガントリ１０は、放射線を発生させる放射線源と放射線源から発生された放射線を検出する放射線検出部を内部に有している。図１（ａ）（ｂ）に示すように、ガントリ１０は環状である。ガントリ１０は略円錐形（切頭円錐形）であり、ガントリ１０は中空である。ガントリ１０の上端に相当する平面部１４に開口部１５が設置されている。すなわち、開口部１５が設置される略円錐形（切頭円錐形）のガントリ１０の上端は平面である。
【００１３】
具体的には、ガントリ１０は、切頭円錐部１１と円筒部１２とから構成されている。切頭円錐部１１と円筒部１２は、それぞれ中空である。円筒部１２の上面に切頭円錐部１１の下面が接合されている。切頭円錐部１１の接合面と円筒部１２の接合面によって、ガントリ１０の内部における中空の空間を接合している。
【００１４】
ガントリ１０における切頭円錐部１１は、円錐状の傾斜面を有した傾斜部１３と、平面を有した平面部１４とから構成されている。言い換えれば、ガントリ１０は、円錐状に傾斜している傾斜部１３と、傾斜部１３の端部に沿って形成された平面部１４とを有し、平面部１４には、被検者Ｐの乳房を挿入するための開口部１５が設置されている。ガントリ１０は、傾斜部１３と平面部１４によって凸形状に形成されている。ガントリ１０の傾斜部１３と平面部１４には、被検者Ｐが載置される。傾斜部１３の端部は、同心円状になっている。図１における傾斜部１３の端部は、ガントリ１０の上端部である。傾斜部１３の同心円状に沿って平面部１４が設置される。つまり、傾斜部１３に沿って平面部１４が同心円状に設置される。平面部１４は、標準体型を想定して大きさが設定されている。具体的には、平面部１４の直径幅は、被検者Ｐの肩幅をよりも大きいことが望まれる。平面部１４の直径幅は、開口部１５の直径幅よりも大きく、傾斜部１３が形成する同心円の直径幅よりも小さい。平面部１４の直径幅は、例えば８０ｃｍ〜１２０ｃｍである。平面部１４の中央付近には、被検者Ｐの乳房を挿入するための開口部１５が設置されている。被検者Ｐは、開口部１５に乳房を挿入することにより、ガントリ１０内の放射線源と放射線検出部との間に被検者Ｐの乳房を露出することができる。
【００１５】
また、乳房撮影用ＣＴ装置は、被検者Ｐを載置するためのベッド部２０を有している。ガントリ１０の側面に接するようにベッド部２０が設置される。ガントリ１０（円筒部１２）の円筒形状に合わせて、ベッド部２０の一側面は湾曲している。円筒部１２の高さとベッド部２０の高さは、同じである。図１に示すように、ベッド部２０の天板は、ガントリ１０の傾斜部１３に接合されることになる。図１（ｂ）に示すように、被検者Ｐは、ガントリ１０とベッド部２０上にうつ伏せ姿勢になり、被検者Ｐの乳房を開口部１５から露出させることにより、乳房撮影用ＣＴ装置の撮影を行うことができる。
【００１６】
ここで、被検者Ｐの撮影姿勢に関して説明する。被検者Ｐは、まずベッド部２０に上り、左右いずれかの乳房を開口部１５に差し入れながら、ガントリ１０からベッド部２０にかけてうつ伏せ姿勢になる。このとき、被検者Ｐの頭部、腰部の少なくともいずれかは、円錐状の傾斜面を有したガントリ１０上に掛かっている。被検者Ｐの乳房を差し入れた開口部１５の位置が最も高く、そこから、頭部については被検者Ｐの前方にかけて、被検者Ｐの腰部については被検者Ｐの後方にかけて、それぞれ低くなるように、ガントリ１０が傾斜している。
【００１７】
具体的には、被検者Ｐの脚部がベッド部２０によって支持され、被検者Ｐの腰部が傾斜部１３によって支持される。また、被検者Ｐの上半身が平面部１４によって支持される。被検者Ｐの腕部は、傾斜部１３によって支持され、被検者Ｐの頭部は、傾斜部１３によって支持される。つまり、ガントリ１０の傾斜面（傾斜部１３）によって、被検者Ｐの腰部と腕部と頭部が支持されるため、被検者Ｐは、無理なくうつ伏せ姿勢を保つことができる。
【００１８】
このように、被検者Ｐは頭部又は腰部がガントリ１０に押しあてられて圧迫されることなく、うつ伏せ姿勢を保つことができる。人体はその構造上、頭部、腰部とも前方へ曲るときの可動角度が後方へ曲るときの可動角度に比べて大きいからである。
【００１９】
また、被検者Ｐはうつ伏せ姿勢になっているとき、いわゆる凸形状をしたガントリ１０の周り（傾斜部１３）に、ガントリ１０を抱え込むようにして腕部を載置することができ、より一層楽な姿勢をとることもできる。
【００２０】
図２は、乳房撮影用ＣＴ装置のガントリ１０の内部構造を示す図である。乳房撮影用ＣＴ装置は、放射線を発生させる放射線源１０４と、放射線源１０４から発生された放射線を検出する放射線検出部１０５と、放射線源１０４と放射線検出部１０５を連接するアーム１０６と、回転軸Ｃを中心にしてアーム１０６を回転させる回転駆動部１０７と、乳房撮影用ＣＴ装置の各構成要素を制御する制御部１０８と、乳房撮影用ＣＴ装置の各構成要素に電力を供給する電源部１１１とを有している。
【００２１】
ガントリ１０からベッド部２０にかけて被検者Ｐがうつ伏せ姿勢になっている。ガントリ１０の開口部１５には被検者Ｐの乳房Ｓが挿入されている。このとき、放射線源１０４と放射線検出部１０５との間に被検者Ｐの乳房Ｓが配置される。
【００２２】
ガントリ１０は、開口部１５の中心を通る鉛直方向の回転軸Ｃを中心とする環状に形成される。図２にはガントリ１０における回転軸Ｃを通る断面が示されている。環状構造をなすガントリ１０の内部には、放射線源１０４と放射線検出部１０５とが回転軸Ｃを挟んで対向配置される。放射線検出部１０５は、放射線源１０４によって放射された放射線を検出することができる。放射線源１０４と放射線検出部１０５はそれぞれアーム１０６に連接されている。アーム１０６は、回転駆動部１０７により、回転軸Ｃを中心に回転駆動される。よって、放射線源１０４と放射線検出部１０５が対向配置を保ったまま回転することができる。
【００２３】
制御部１０８は、回転駆動部１０７におけるアーム１０６の回転、放射線源１０４の放射線照射、放射線検出部１０５の放射線検出、画像データ出力等の制御を行う。制御部１０８は、ＣＰＵとメモリを内部に有しており、ＣＰＵがメモリに格納された制御プログラムを実行することにより各構成要素の制御が行われる。具体的には、制御部１０８は、回転駆動部１０７におけるアーム１０６の一秒あたりの回転数を制御する。回転駆動部１０７は、当該回転数でアーム１０６を回転させることができる。また、制御部１０８は、放射線源１０４における管電圧、管電流を含む撮影条件を制御する。放射線源１０４は、当該撮影条件で放射線を照射することができる。また、制御部１０８は、放射線検出部１０５における放射線の検出、放射線に基づく画像データを取得するタイミングを制御する。放射線検出部１０５は、放射線源１０４からの放射線の照射を自動検知する検知機能を有していてもよい。自動検知する検知機能は、放射線源１０４から放射線が照射された際、放射線検出部１０５が放射線を検知して放射線信号の蓄積を行う機能である。制御部１０８は、放射線検出部１０５により放射線の照射を検知した際、放射線検出部１０５に本読み動作を開始させて画像データを取得させる。
【００２４】
電源部１１１は、各構成要素に電力を供給する。例えば、電源部１１１は、放射線源１０４に対して電力を供給する。放射線源１０４は、電源部１１１から供給された電力における管電圧、管電流に基づいて放射線を照射することができる。
【００２５】
図３は、乳房撮影用ＣＴ装置の放射線源１０４の構成を示す。放射線源１０４は、管球容器２０１と、電子放出源２０２と、陽極２０３と、ターゲット２０３１と、放射線透過窓２０４とから構成される。
【００２６】
放射線源１０４は、管球容器２０１によって密封されており、その内部には、電子を発生する電子放出源２０２、陽極２０３、ターゲット２０３１を備えている。また、管球容器２０１は、ターゲット２０３１で発生した放射線を管球容器２０１の外部に透過させる放射線透過窓２０４を備えている。管球容器２０１は、金属製の円筒状容器であり、内部は真空に保たれている。電子放出源２０２は、陰極２０２１、収束電極２０２２、グリッド電極２０２３を備えている。陰極２０２１は、電力供給により発熱し、電子を発生する。陰極２０２１で発生した電子は、陰極２０２１と陽極２０３との間の電位差により、陽極２０３側に放出される。このとき、グリッド電極２０２３および収束電極２０２２のフォーカスアパーチャー２０２４により形成される電子レンズを透過し、円形の電子ビームに収束される。ターゲット２０３１は電子の衝突により放射線を発生する部材であり、陽極２０３上の電子ビームが衝突する面に蒸着形成され、グランド電位に保たれている。陽極２０３は水冷式で冷却可能なように、内部が中空構造となっている。陽極２０３のターゲット２０３１が蒸着された面は、電子ビームの軌道（破線２０５）に対して所定の角度だけ傾斜しており、電子ビームは当該傾斜角でターゲット２０３１に入射する。破線２０５は、電子ビームの照射方向である。電子ビームがターゲット２０３１に衝突すると、ターゲット２０３１から放射線が放射される。電子ビームの反射角方向には、放射線透過窓２０４が構成されている。放射線透過窓２０４は、ベリリウム等の放射線を透過する材料で形成される板状の部材であり、管球容器２０１の円形の空孔を覆うようにロウ付けされている。ターゲット２０３１から放射された放射線は、放射線透過窓２０４を透過することにより、コーン（円錐）状のビーム（破線２０６で囲まれた領域）に成形されて管球容器２０１の外部に向けて照射される。すなわち、放射線ビームの放射角度・形状は、ターゲットに対する電子ビームの入射角、放射線透過窓の形状・位置等により決定される。
【００２７】
以上の構成により、本実施例の放射線源１０４は全体として筒型形状をなし、その端部より管球容器２０１の長手方向（電子ビームの方向）に対して斜め上の方向に向け円錐（コーン）形状に放射線を照射する構造となっている。
【００２８】
なお、上記では、反射型の放射線源１０４を説明したが、放射線源１０４は透過型であってもよい。具体的には、放射線源１０４は、透過型ターゲットと、透過型ターゲットと離間するとともに対向するように配置された電子放出源と、その内部空間が減圧された管球容器とを備えている。電子放出源で放出された電子は、透過型ターゲット側に照射される。電子放出源が透過型ターゲットへ電子ビームを照射することにより放射線を発生させることができる。透過型の放射線源１０４であっても、円錐（コーン）形状に放射線を照射することができる。
【００２９】
また、放射線源１０４は、放射線を発生させるための放射線管と放射線管を動作させるための高電圧発生部を一体化した構造、いわゆるモノタンク構造であってもよい。
【００３０】
図４、５は、乳房撮影用ＣＴ装置が被検者Ｐの乳房を撮影している状態（放射線を照射している状態）を示した図である。
【００３１】
放射線源１０４は、ガントリ１０の傾斜面（傾斜部１３）に沿って配置されている。放射線源１０４を回転軸Ｃ周りに回転しても、放射線源１０４はガントリ１０の傾斜面に衝突しないようになっている。具体的には、放射線源１０４は、略円錐形（切頭円錐形）に構成されたガントリ１０の傾斜面（傾斜部１３）と平行となるように、ガントリ１０の傾斜面に沿って配置されている。言い換えれば、放射線源１０４の長手方向に対して、ガントリ１０の傾斜面（傾斜部１３）は平行である。また、放射線源１０４の電子放出源から発生される電子ビームの照射方向に対して、ガントリ１０の傾斜面（傾斜部１３）は平行であると言うこともできる。
【００３２】
一方、放射線源１０４における放射線の照射方向に対して、ガントリ１０の傾斜面（傾斜部１３）は平行ではない。放射線源１０４の平面部１４側の側面は平面となっている。放射線源１０４の平面部１４側の側面（平面）は、ガントリ１０の平面部１４に対して平行である。
【００３３】
また、放射線源１０４から照射される放射線における平面部１４側の端部は、ガントリ１０の平面部１４に対して平行である。つまり、放射線源１０４から照射される放射線は、ガントリ１０の平面部１４に沿って照射される。
【００３４】
記号Ｘは、放射線源１０４より円錐（コーン）状に放射される放射線の照射領域を示している。放射線源１０４より放射される放射線は、その照射領域Ｘの上側（平面部１４側）の境界面が、開口部１５の開口面と略同一となるように照射される。すなわち、照射領域Ｘの境界面と放射線源１０４の長手方向の軸が成す角度θは、ガントリ１０の傾斜部１３と開口部１５の開口面が成す角度φと概ね等しくなる。つまり、略円錐形（切頭円錐形）をしたガントリ１０は、その頂点に相当する位置に設けられた開口部の開口面に対して、その傾斜側面が、概ね角度θを成すように構成される。角度θは、放射線源１０４の長手方向の軸と、放射線の照射領域Ｘの軸に近い側の照射境界面とがなす角度である。言い換えれば、角度θは、放射線源１０４の長手方向の軸と、ガントリ１０の平面部１４とがなす角度である。角度θは、放射線源１０４の電子放出源から発生される電子ビームの照射方向の軸と、ガントリ１０の平面部１４とがなす角度である。
【００３５】
放射線検出部１０５は、回転軸Ｃを挟んで、放射線源１０４と対向配置されている。放射線源１０４及び放射線検出部１０５はアーム１０６により連接される。アーム１０６は回転駆動部１０７により、回転軸Ｃを中心に回転駆動される。
【００３６】
放射線検出部１０５は、被検者を透過した放射線を光電変換素子によって検出し、電気信号として出力するものである。例えば、放射線検出部１０５は、被検者を透過した放射線を検出する変換パネル、放射線のバック散乱線を吸収する吸収板、蓄電部、放射線から電気信号に変換された情報を出力するためのＩ／Ｆ（インタフェース）等よりなる。Ｉ／Ｆ（インタフェース）によって、外部装置に電気信号を出力することができる。なお、放射線検出部１０５の放射線検出側に被検者による放射線の散乱を除去するグリッドを備えていてもよい。
【００３７】
放射線検出部１０５における回転軸Ｃの反対側（放射線の検出面の反対側）には、放射線遮蔽部３０１が設置されている。よって、被検者Ｐ以外への不要な被曝を低減することができる。
【００３８】
また、図５に示すように、放射線源１２０がモノタンク構造である場合、放射線源１２０がガントリ１０の傾斜面に適合した形状となっている。具体的には、傾斜部１３と平面部１４からなるガントリ１０の内部の形状に合わせて、放射線源１２０の形状が決定されている。放射線源１２０は、“く”の字形状に折れ曲がっている。
【００３９】
放射線源１２０は、傾斜部１３の内壁と平面部１４の内壁に沿うように形成されている。具体的には、放射線源１２０において、放射線源１２０の平面部１４側の側面は、ガントリ１０の平面部１４に対して平行であり、平面形状である。放射線源１２０における管球容器の一部は、ガントリ１０の傾斜部１３に対して平行である。また、放射線源１２０における管球容器の一部は、放射線源１０４と放射線検出部１０５における回転軸Ｃの軸方向に対して平行である。
【００４０】
放射線源１２０のターゲットは、ガントリ１０の平面部１４に近接する位置に設置される。放射線源１２０の電子放出源から発生される電子ビームの照射方向に対して、ガントリ１０の傾斜面は平行である。放射線源１２０から照射される放射線における平面部１４側の端部は、ガントリ１０の平面部１４に対して平行である。つまり、放射線源１２０から照射される放射線は、ガントリ１０の平面部１４に沿って照射される。
【００４１】
放射線源１０４より放射される放射線の照射領域Ｘの開口部側の境界面が、開口部１５の開口面と略同一となることは以下のような利点を有する。本発明に係る乳房撮影用ＣＴ装置は、放射線源１０４（１２０）と放射線検出部１０５とを乳房の周りを回転させながら放射線を照射することにより乳房の断層画像を撮影するものである。放射線の照射領域Ｘにない部分は撮影することができない。一方、乳がんの好発部位は乳房上部外側であるから、これを含んで撮影できることが望ましい。放射線の照射領域Ｘの境界面が開口面と略同一であることには、乳がん好発部位を含んだ撮影を行うことができるという利点がある。
【００４２】
以上、本実施形態の乳房撮影用ＣＴ装置によれば、放射線源１０４と放射線検出部１０５とを対向して配置したガントリ１０を有し、被検者Ｐの乳房を撮影する乳房撮影用ＣＴ装置であって、ガントリ１０は、円錐状に傾斜している傾斜部１３と、傾斜部１３の端部に沿って形成された平面部１４とを有し、平面部１４には、被検者Ｐの乳房を挿入するための開口部１５が設置されている。また、ガントリ１０は切頭円錐形であり、該切頭部には被検者Ｐの乳房を挿入するための開口部１５が設置されている。
【００４３】
よって、被検者Ｐはガントリ上でうつ伏せ姿勢を容易に保つことができ、乳房の撮影を行うことができる。被検者Ｐがうつ伏せ姿勢になったときに頭部又は腰部が圧迫されず、被検者Ｐの苦痛が軽減される。よって、乳がん検査に好適な乳房撮影をすることが可能な乳房撮影用ＣＴ装置を提供することが可能となる。
【００４４】
＜実施形態２＞
図６は、本発明の実施形態２に係る乳房撮影用ＣＴ装置の外観図である。実施形態１と異なる点は、ガントリ１０の周縁には側面開口部４０１が設置される点である。
【００４５】
図６は、本発明の乳房撮影用ＣＴ装置のガントリ１０上に被検者Ｐがうつ伏せ姿勢になっている状態において、被検体Ｐの生検用試料を採取するため、若しくは被検者Ｐを治療するためにガントリ１０の側面開口部４０１を開けた状態を示している。
【００４６】
放射線ＣＴ撮影では、被検者Ｐの乳房をいわゆる三次元で放射線撮影を行うことができるため、病変が疑われる組織の三次元座標上の位置を求めることが可能となる。そこで、撮影後に被検者Ｐの乳房の状態を維持したまま生検用試料が採取できると、検査時間を短縮しながら検査精度を高めることができる。また、撮影後に被検者Ｐの乳房の状態を維持したまま穿刺等の治療を行うことができると、治療時間を短縮しながら治療精度を高めることができる。そのために、本発明の乳房撮影用ＣＴ装置ではガントリ１０の周縁に側面開口部４０１が設置されている。
【００４７】
図６において、ガントリ１０の周縁に設けられた側面開口部４０１は開閉可能である。側面開口部４０１を覆う蓋部（図示しない）を用いて、図１に示すように側面開口部４０１を閉じることができる。側面開口部４０１を覆う蓋部は、側面開口部４０１と同じ大きさであり、ガントリ１０の形状と同じ形状である。なお、側面開口部４０１はガントリ１０の左右いずれに設けられていても、ガントリ１０の左右ともに設けられていてもよい。つまり、側面開口部４０１はガントリ１０の１箇所に設けられていても、ガントリ１０の複数個所に設けられていてもよい。
【００４８】
側面開口部４０１は、撮影後の生検用試料採取だけでなく、撮影前において検査技師等の手技による被検者Ｐの乳房の位置補正にも使用することが可能である。生検用試料採取または乳房の位置補正にあたって、側面開口部４０１の開口をさえぎる位置に放射線源１０４または放射線検出部１０５があると、これらの作業が妨げられる。そこで、回転駆動部１０７が回転駆動していないときは、放射線源１０４及び放射線検出部１０５が側面開口部５０１を外れた位置に停止しているように制御部１０８により制御してもよい。つまり、制御部１０８は、放射線源１０４及び放射線検出部１０５が側面開口部５０１に停止しないように制御する。
【００４９】
側面開口部４０１には、開閉センサが設けられ、側面開口部４０１の開口を検知したときは、放射線源１０４及び放射線検出部１０５が側面開口部４０１を外れた位置に移動するように制御してもよい。
【００５０】
ここで、開閉センサが接触センサである場合、側面開口部４０１を覆う蓋部が側面開口部４０１に接触しているかどうかを検知する。接触センサが側面開口部４０１を覆う蓋部が側面開口部４０１に接触していると検知した場合、制御部１０８は、側面開口部４０１が閉じられていると認識する。接触センサが側面開口部４０１を覆う蓋部が側面開口部４０１に接触してないと検知した場合、制御部１０８は、側面開口部４０１が開かれていると認識する。
【００５１】
開閉センサが照度センサである場合、ガントリ１０内が暗くなっているかどうか検知する。ガントリ１０内が暗くなっていることを検知した場合、蓋部が側面開口部４０１を覆っている状態である。このとき、制御部１０８は、側面開口部４０１が閉じられていると認識する。ガントリ１０内が明るくなっていることを検知した場合、蓋部が側面開口部４０１を覆っていない状態である。このとき、制御部１０８は、側面開口部４０１が開かれていると認識する。
【００５２】
また、安全性を向上させるため、開閉センサにより側面開口部４０１が開かれていることを検知したときは、制御部１０８は、放射線源１０４による放射線照射を禁止する。また、開閉センサにより側面開口部４０１が開かれていることを検知したときは、制御部１０８は、回転駆動部１０７による放射線源１０４及び放射線検出部１０５の回転駆動を停止する。
【００５３】
開閉センサにより側面開口部４０１が閉じられたことを検知したときは、制御部１０８は、回転駆動部１０７による放射線源１０４による放射線照射を許可する。開閉センサにより側面開口部４０１が閉じられたことを検知したときは、制御部１０８は、回転駆動部１０７による放射線源１０４及び放射線検出部１０５の回転駆動を許可する。
【００５４】
なお、乳房撮影用ＣＴ装置は、ガントリ１０を昇降させる昇降機構（図示しない。）を備えることもできる。昇降機構によってガントリ１０を昇降させることにより、検査技師や医師が側面開口部４０１に手を入れやすい高さに調整可能としてもよい。このとき、ベッド部１０２も昇降可能とし、制御部１０８は、ベッド部１０２の昇降量をガントリ１０の昇降量と略同一となるように制御する。検査技師等による手技あるいは生検用試料採取の際にも、被検者Ｐの頭部または腰部が装置に押しあてられて圧迫されることなく、被検者Ｐに楽な姿勢を取らせることが可能となる。
【００５５】
このように、ガントリ側面に開閉可能な側面開口部が設けられているため、これを通して生検用試料の採取や検査技師等による手技などを行うことができる。
【００５６】
＜実施形態３＞
図７、８は、本発明の実施形態３に係る乳房撮影用ＣＴ装置の外観図である。実施形態１、２と異なる点は、乳房撮影用ＣＴ装置におけるガントリ１０の周縁に被検者Ｐが把持する把持部３０、４０が設置された点である。
【００５７】
図７、８に示すように、ガントリ１０の円筒部１２の周縁（外周）に把持部３０、４０が設置されている。なお、ガントリ１０の傾斜部１３には、把持部３０、４０が設置されていない。
【００５８】
図７（ａ）は、把持部３０が設置された乳房撮影用ＣＴ装置の外観図であり、図７（ｂ）は、破線Ｙにおける乳房撮影用ＣＴ装置の断面図である。
【００５９】
被検者Ｐが両手で把持部３０を把持するために、２つの把持部３０は開口部１５を挟んで対称にガントリ１０に設置されている。つまり、２つの把持部３０は、ガントリ１０とベッド部２０に載置される被検者Ｐの体軸を挟んで対称になるようにガントリ１０に設置される。
【００６０】
把持部３０はガントリ１０の形状に沿って湾曲している。具体的には、把持部３０はガントリ１０の外縁（外周）形状に沿って湾曲している。把持部３０とガントリ１０との距離が一定に保たれた状態で把持部３０がガントリ１０に設置されている。把持部３０が被検者Ｐの腰部に接触しないように、ガントリ１０のベッド部２０側には、把持部３０が設置されていない。なお、２つの把持部３０は、ガントリ１０のベッド部２０側と反対側の側面において繋がっていてもよい。
【００６１】
被検者Ｐはうつ伏せ姿勢になっているとき、ガントリ１０を抱え込むようにして、被検者Ｐは腕部をガントリ１０の傾斜部１３に載置させる。そして、被検者Ｐは把持部３０を握る。よって、被検者Ｐは、把持部３０を握ることにより、うつ伏せ姿勢をより安定して保つことができる。
【００６２】
図８（ａ）は、把持部４０が設置された乳房撮影用ＣＴ装置の外観図であり、図８（ｂ）は、破線Ｚにおける乳房撮影用ＣＴ装置の断面図である。
【００６３】
ガントリ１０の周縁（外周）に凹部（溝部）が設置されている。凹部（溝部）は、被検者が把持するための把持部４０の機能を有している。具体的には、ガントリ１０の側面の周方向に凹部（溝部）が把持部４０として形成されている。
【００６４】
被検者Ｐが両手で把持部４０を把持するため、２つの把持部４０は開口部１５を挟んで対称にガントリ１０に設置されている。２つの把持部４０は、ガントリ１０とベッド部２０に載置される被検者Ｐの体軸を挟んで対称になるようにガントリ１０に設置される。なお、２つの把持部４０は繋がっていてもよい。
【００６５】
被検者Ｐはうつ伏せ姿勢になっているとき、ガントリ１０を抱え込むようにして、被検者Ｐは腕部をガントリ１０の傾斜部１３に載置させる。そして、被検者Ｐは把持部４０を握る。よって、被検者Ｐは、把持部４０を握ることができる。よって、被検者Ｐは、把持部４０を握ることにより、うつ伏せ姿勢をより安定して保つことができる。
【００６６】
＜実施形態４＞
図９は、本発明の実施形態４に係る乳房撮影用ＣＴ装置の外観図である。実施形態１〜３と異なる点は、乳房撮影用ＣＴ装置がガントリ１０を旋回させる回転機構を備えている点である。
【００６７】
図９において、乳房撮影用ＣＴ装置はｘｙ面内に配置されているものとする。乳房撮影用ＣＴ装置は、ガントリ１０を旋回させる回転機構（ガントリ回転部５６）を備えている。具体的には、乳房撮影用ＣＴ装置は、ｘｙ方向に沿って床面に設置されたベース５０と、ベース５０に連結された支柱ベース５２がｚ方向に沿って設けられている。支柱ベース５２には、上下方向（ｚ方向）に沿って移動可能な可動台５４が設けられている。また、可動台５４には、ガントリ１０を旋回するためのガントリ回転部５６が設けられている。
【００６８】
まず、可動台５４は、ガントリ１０を上下方向（ｚ方向）に位置決めする。そして、ガントリ回転部５６は被検者Ｐの撮影姿勢に応じてガントリ１０をｘ軸に平行な回転軸回りに旋回させることができる。
【００６９】
乳房撮影用ＣＴ装置により撮影を行う際には、被検者Ｐの乳房をガントリ１０のガントリ正面部のほぼ中心の位置に合わせ、被検者Ｐの胸部に対向するようにガントリ１０のガントリ正面部の角度を合わせる。可動台５４及びガントリ回転部５６を用いることにより、立位から斜位、伏臥位まで任意の撮影姿勢で乳房の断層撮影を行うことができる。これにより、被検者Ｐの負担を軽減した状態で撮影を行うことが可能になる。
【図１】
0006463110.tif 000002
【図２】
0006463110.tif 000003
【図３】
0006463110.tif 000004
【図４】
0006463110.tif 000005
【図５】
0006463110.tif 000006
【図６】
0006463110.tif 000007
【図７】
0006463110.tif 000008
【図８】
0006463110.tif 000009
【図９】
0006463110.tif 000010